(57)【要約】【課題】  保守・点検時、該当モジュールのリモート接続端子からリモートスイッチを用いて運転・停止を行うことによって保守・点検作業を容易にできる紙葉類処理装置を提供する。【解決手段】  装置１００の保守・点検時、オペレートパネル２０の保守モードスイッチ２１を保守モードである“ＯＮ”状態に切り替え、作業が必要な作業対象モジュール（例えば、紙葉類供給・認識部モジュール１０）のリモート接続端子１５にリモートスイッチ８０を接続する。この接続によってオペレートパネル２０による装置１００の運転・停止の操作は無効になり、リモートスイッチ８０による運転・停止の操作が有効になる。この状態でスイッチＢ８２を押下して状態Ｂにし、スイッチＡ８１を押下して状態Ｅにすると装置１００は運転状態になり、スイッチＢ８２を状態Ｃまたは状態Ａにすると装置１００は停止する。【選択図】  図４
2006095393.tif 000002
【特許請求の範囲】
【請求項１】
紙葉類を搬送して処理する紙葉類処理装置であって、
この紙葉類処理装置に設けられたリモート接続端子と、
前記紙葉類を保守モードに設定する保守モード設定手段と、
前記リモート接続端子に接続して前記紙葉類処理装置の運転・停止の操作を行うリモートスイッチと、
前記紙葉類処理装置の動作モードが前記保守モード設定手段によって保守モードに設定され、かつ、前記リモートスイッチが前記リモート接続端子に接続されたとき、前記リモートスイッチによって前記紙葉類処理装置の運転・停止の操作を可能にする搬送制御手段と
を備えたことを特徴とする紙葉類処理装置。
【請求項２】
紙葉類を搬送して処理する紙葉類処理装置であって、
この紙葉類処理装置に設けられたリモート接続端子と、
前記紙葉類を保守モードに設定する保守モード設定手段と、
前記紙葉類処理装置を構成する機械を保護するカバーの開閉を検知する開閉検知機能を設定するインターロックスイッチと、
前記リモート接続端子に接続して前記紙葉類処理装置の運転・停止の操作を行うリモートスイッチと、
前記紙葉類処理装置の動作モードが前記保守モード設定手段によって保守モードに設定され、かつ、前記リモートスイッチが前記リモート接続端子に接続されたとき、前記インターロックスイッチによる前記開閉検知機能を無効にして前記リモートスイッチによって前記紙葉類処理装置の運転・停止の操作を可能にする搬送制御手段と
を備えたことを特徴とする紙葉類処理装置。
【請求項３】
前記リモートスイッチは、
１つのボタンを有し、このボタンを押下する事によって第１の状態から第２の状態に遷移し、第２の状態から第１の状態には自動復帰する第１のスイッチと、
１つのボタンを有し、このボタンを押下する事によって第１の状態と第２の状態、及び第２の状態と第３の状態を可逆に遷移可能で、かつその状態を保持可能な第２のスイッチと、
前記第１のスイッチ及び第２のスイッチを保持するリモートスイッチ本体と、
この本体に接続されたケーブル、及びケーブル端に接続されたコネクタと
を備え、このコネクタを前記リモート接続端子に接続できるようにしたことを特徴とする請求項１乃至請求項２記載の紙葉類処理装置。
【請求項４】
前記搬送制御手段は、
前記紙葉類処理装置の動作モードが前記保守モード設定手段によって保守モードに設定され、かつ、前記リモートスイッチが前記リモート接続端子に接続されたとき、前記リモートスイッチの前記第２のスイッチが前記第２の状態に設定され、かつ前記第１のスイッチが第２の状態に遷移したときに前記紙葉類処理装置を運転状態にし、さらに、前記第１のスイッチが前記第１の状態に復帰し、前記第２のスイッチが前記第１の状態または前記第３の状態に遷移したときに前記紙葉類処理装置の運転状態を停止する制御を行うことを特徴とする請求項１乃至請求項２記載の紙葉類処理装置。
【請求項５】
前記搬送制御手段は、
前記紙葉類処理装置の動作モードが前記保守モード設定手段によって保守モードに設定され、かつ、前記リモートスイッチが前記リモート接続端子に接続されたとき、前記リモートスイッチの前記第２のスイッチが前記第２の状態に設定され、かつ前記第１のスイッチが第２の状態に遷移したときに前記紙葉類処理装置を運転状態にし、さらに、前記第２のスイッチの前記第２の状態が所定時間を越えてもこの第２のスイッチの前記第１の状態または前記第３の状態に遷移されないとき、前記紙葉類処理装置の運転を停止する制御を行うことを特徴とする請求項１、請求項２及び請求項４記載の紙葉類処理装置。
【発明の詳細な説明】
【技術分野】
【０００１】
本発明は、リモートスイッチを備え、このリモートスイッチによる運転・停止可能な紙葉類処理装置に関する。
【背景技術】
【０００２】
例えば、郵便物を処理する紙葉類処理装置など大きな装置では、操作パネルと作業対象のモジュールが離れた状態で保守・点検作業を行う必要がある。例えば、搬送部のベルト・ローラ、区分部のソレノイドなど装置に組み込まれている部品、またはユニットの保守・点検作業を行うために、１名が操作パネル部で装置の運転・停止の操作を行い、もう１名が作業対象モジュールで保守・点検作業を行っていた（例えば、特許文献１参照。）。
【特許文献１】特開２０００−３３３４１号公報（第４頁、図５）
【発明の開示】
【発明が解決しようとする課題】
【０００３】
しかしながら、従来の保守・点検作業を行うためには、１名が操作パネル部で装置の運転・停止の操作を行い、もう１名が作業対象モジュールで保守・点検作業を行う必要があり、常に２名の人員が必要であった。
【０００４】
また、これら２名の操作員が互いに大きな声で通知しながら作業を行う必要があり、操作しにくいという問題があった。
【０００５】
本発明は、上記問題を解決するためになされたもので、各モジュール毎に配置されたリモート接続端子にリモートスイッチを接続することによって、このリモートスイッチから運転・停止を行うことによって保守・点検作業を容易にできる紙葉類処理装置を提供することを目的とする。
【課題を解決するための手段】
【０００６】
上記目的を達成するために、本発明の紙葉類処理装置は、紙葉類を搬送して処理する紙葉類処理装置であって、この紙葉類処理装置に設けられたリモート接続端子と、前記紙葉類を保守モードに設定する保守モード設定手段と、前記リモート接続端子に接続して前記紙葉類処理装置の運転・停止の操作を行うリモートスイッチと、前記紙葉類処理装置の動作モードが前記保守モード設定手段によって保守モードに設定され、かつ、前記リモートスイッチが前記リモート接続端子に接続されたとき、前記リモートスイッチによって前記紙葉類処理装置の運転・停止の操作を可能にする搬送制御手段とを備えたことを特徴とする。
【０００７】
また、本発明の請求項２記載の紙葉類処理装置は、紙葉類を搬送して処理する紙葉類処理装置であって、この紙葉類処理装置に設けられたリモート接続端子と、前記紙葉類を保守モードに設定する保守モード設定手段と、前記紙葉類処理装置を構成する機械を保護するカバーの開閉を検知する開閉検知機能を設定するインターロックスイッチと、前記リモート接続端子に接続して前記紙葉類処理装置の運転・停止の操作を行うリモートスイッチと、前記紙葉類処理装置の動作モードが前記保守モード設定手段によって保守モードに設定され、かつ、前記リモートスイッチが前記リモート接続端子に接続されたとき、前記インターロックスイッチによる前記開閉検知機能を無効にして前記リモートスイッチによって前記紙葉類処理装置の運転・停止の操作を可能にする搬送制御手段とを備えたことを特徴とする。
【発明の効果】
【０００８】
本発明によれば、各モジュールに配置されたリモート接続端子にリモートスイッチを接続することによって、このリモートスイッチから運転・停止することによって保守・点検作業を容易にすることができる。
【発明を実施するための最良の形態】
【０００９】
以下、図面を参照して本発明の実施例を説明する。
【実施例】
【００１０】
図１は、本発明の実施例による紙葉類処理装置１００の概略構成図である。図１の（Ａ）は平面図で、図１の（Ｂ）は正面図である。紙葉類処理装置１００（以下、装置と称する）は、紙葉類に記載された配達区分情報を読取部（図示しない）で読み取り、この読み取った配達区分情報を文字認識部５で認識する。そして、この認識した配達区分情報をＩＪＰ（Ink Jet Printer）で当該紙葉類にバーコード印字し、区分毎の区分口を有するスタッカに当該紙葉類を集積する装置である。また、上記認識部で認識できなかった紙葉類の配達区分情報を示す画像情報がビデオコーディングシステム（Video Coding System）（以下、ＶＣＳと称する。）に送信され、当該画像情報に基づいて操作員によって配達区分情報が入力されると、オンライン処理中に上記ＩＪＰでバーコードが印字されて上記スタッカに集積される。
【００１１】
装置１００では、供給部１に紙葉類をセットし、オペレートパネル２０のスタートスイッチをオンすることによって装置を運転させると取出部２から紙葉類が取出される。異物混入紙葉類や定型外紙葉類などの書状を検出して排除集積部３へ排除し、それ以外の供給可能な紙葉類は、プレバーコード読取部４と文字認識部５で紙葉類に記載された各種データを認識して、遅延搬送部６へと流れていく。遅延搬送部６は、文字認識部５で認識できなかった紙葉類をＶＣＳ処理（紙葉類の画像をモニタに表示し、操作員が一定時間内に配達区分情報を打鍵する処理）の時間を稼ぐための搬送部である。その後、プレバーコード読取部４、文字認識部５及びＶＣＳ打鍵情報を元に配達区分情報をＩＪＰ印刷部７にて特殊フォーマットのバーコードを印字し、その印字した内容をベリファイバーコード読取部８にて再チェックを行う。その後、最終判定（最終行先スタッカの決定）を行って、該当のスタッカへ集積させるために分岐部９にてゲート（図示しない）を稼動し各段への振分を行う。振分られた紙葉類は、第１スタッカ集積部５０、第２スタッカ集積部６０へと搬送され、最終行先スタッカの決定に従って該当スタッカへ集積される。
【００１２】
図２は、装置１００を制御する制御部（制御手段）に関するブロック図である。制御部３０は、供給・取出部周辺をコントロールするための取出制御部３１、異物混入紙葉類を排除するための異物検出制御部３２、紙葉類の配達区分情報をやりとりするための読取部インターフェース制御部３３、その情報をバーコード印刷（ＩＪＰ）するための印刷制御部３４、紙葉類を搬送させ決められたスタッカへ集積させる搬送・区分制御部３５、及び紙葉類の集積情報や装置の異常情報を表示するためのパネル制御部３６を制御する。
【００１３】
搬送・区分制御部３５は、郵便物をベルト搬送するためのモータ駆動回路４０、この搬送ベルトがどのくらいのスピードで駆動しているのかを検出するためのエンコーダ入力回路４１、上記各スタッカへ集積させるためのゲート駆動回路４２、そのゲートの駆動タイミングを検出するシフトセンサ、集積状態を監視する満杯検出センサ（２種）、及び紙札発行スイッチのオン／オフボタンを検出するためのスイッチ制御回路４３を有する。さらに、搬送・区分制御部３５は、スタッカを制御をするために、スタッカの満杯状態を知らせるための満杯ランプ、及び集積開始または抜き取りを指示する紙札ランプの点灯／消灯制御を行うランプ制御回路４４、並びに集積情報を表示するためのＬＣＤ制御回路４５を有する。また、各種情報を保持するためのメモリ回路４６を有する。
【００１４】
上記リモートスイッチ８０の出力信号はリモート接続端子に入力される。この接続端知に入力された信号は、上記スイッチ制御回路４３によって読み取られ、搬送・区分制御部（搬送制御手段）３５に出力される。搬送・区分制御部３５は、入力されたリモートスイッチの出力信号によって装置の運転・停止の制御を行う（詳細は、後述する。）。
【００１５】
図３は、装置１００のリモートスイッチを接続するためのリモート接続端子１５、５５、６５、７５の配置図である。
【００１６】
装置１００は、保守・点検の観点から紙葉類供給・認識部モジュール１０、第１スタッカ集積部モジュール５０、第２スタッカ集積部モジュール６０及び受渡部モジュール７０から構成されている。また、これら４個のモジュールには、各モジュール毎にリモートスイッチ８０を接続するためのリモート接続端子１５、５５、６５、７５が備えられている。さらに各モジュール毎に、当該モジュールに含まれるカバーを開けたときのカバー開検出を無効にする範囲（カバー開検出無効範囲）として設定されている。
【００１７】
認識部モジュール１０には、供給部１、取出部２、排除集積部３、プレバーコード読取部４、文字認識部５、遅延搬送部６、ＩＪＰ印刷部７、ベリファイバーコード読取部８、分岐部９が含まれる。これら各部の機能は、既に説明したので省略する。
【００１８】
図４は、リモートスイッチ８０を装置１００のリモート接続端子に接続するときの接続状態を示す。図示した例では、リモートスイッチ８０が装置１００のリモート接続端子１５に接続した状態を示す。リモートスイッチ８０は装置１００に対して１個の接続のみ許可される。従って、もし複数接続した場合は、優先度の高い１個のみ有効な接続状態として認識される。本実施例では、リモート接続端子１５の優先度が最も高く設定されており、以下リモート接続端子５５、６５、７５の順番に設定されている。
【００１９】
図４（Ａ）及び図４（Ｂ）を用いてはリモートスイッチ８０の構成を説明する。図４（Ａ）はリモートスイッチ８０の正面図で、図４（Ｂ）は、リモートスイッチ８０の側面図である。リモートスイッチ８０には、スイッチＡ（第１のスイッチ）８１及びスイッチＢ（第２のスイッチ）８２が備えられており、初期状態では、スイッチＡ８１のボタン（以下、スイッチＡ８１と称する。）は状態Ｄ（第１の状態）になっており、ボタンＢ８２のボタンは（以下、スイッチＢ８２と称する。）状態Ａ（第１の状態）になっている。また、リモートスイッチ８０には、ケーブル８３が接続されており、このケーブル８３の先端にリモート接続端子と接続するためのコネクタ８４が接続されている。
【００２０】
スイッチＡ８１は、押下すると状態Ｄ（第１の状態）から状態Ｅ（第２の状態）に変化し、押下を止めると状態Ｅから状態Ｄに自然に復帰するプッシュスイッチで構成される。一方、スイッチＢ８２は、安全機構を考慮した３ポジションタイプのスプリングターンスイッチで構成され、初期状態である状態Ａ（第１の状態）から押下すると状態Ｂ（第２の状態）になり適度な力で保持される。さらに押下すると状態Ｃ（第３の状態）になる（詳細は後述する。）。実施例では、このリモートスイッチを手で握って使用する。すなわち、人差し指でスイッチＢ８２を押下すことができ、親指でスイッチＡ８１を押下することが出来る。
【００２１】
図５及び図６を参照してリモートスイッチ８０の動作を説明する。図５は、オペレートパネル２０の配置図である。図６は、リモートスイッチ８０のスイッチＡ８１及びスイッチＢ８２の動作を説明するタイミングチャートである。このオペレートパネル２０から操作することによってリモートスイッチ８０を用いて保守・点検を行う方法を説明する。
【００２２】
オペレートパネル２０には、保守モードスイッチ（保守モード設定手段、ＭＡＩＮＴＥＮＡＮＣＥ  ＭＯＤＥ）２１が配置されており、通常モード状態は、“ＯＦＦ”になっている。最初に、保守モードスイッチ２１の通常モード状態“ＯＦＦ”から保守モード“ＯＮ”へ切り換える。
【００２３】
次に、リモートスイッチ８０を、例えばリモート接続端子１５に接続する。この接続によってリモートスイッチの機能が有効になり、このリモートスイッチから装置１００の運転・停止の操作を行うことができるようになる。このとき、オペレートパネル２０の運転スイッチ（ＳＴＡＲＴ）２３、停止スイッチ（ＳＴＯＰ）２４のスイッチ機能は無効になる。
【００２４】
初期状態は、スイッチＡ８１が状態Ｄ、スイッチＢ８２がＡ状態になっている。このとき駆動モータは“ＯＦＦ”状態になっており装置１００は停止状態である。
【００２５】
次に、スイッチＢ８２を押下して状態Ａから状態Ｂにする。この状態Ｂはスプリングターン状態で保持されている。（図６タイミングＴ１）。
【００２６】
次に、この状態で、スイッチＡ８１を押下する（状態Ｄ→状態Ｅ）。この押下（状態Ｅ）によって装置１００は運転状態になる（図６タイミングＴ２）。このとき駆動モータは“ＯＮ”状態になる。
【００２７】
次に、この運転状態で装置１００の保守・点検動作を確認後、スイッチＢ８２を状態Ａまたは状態Ｃにすることによって装置１００は停止する（図６タイミングＴ３）。この状態Ａまたは状態Ｃにすることによって装置１００を停止する理由は、万一保守・点検を行う操作員に怪我などの異常があった場合、とっさにスイッチＢ８２を押下している指を離すことによって状態Ｂから状態Ａになる場合と、スイッチＢ８２を押下している指をさらに押下し状態Ｂから状態Ｃにする場合が考えられ、この何れの操作を行っても装置１００を停止できるようにするためであり、装置１００を停止するためのより高い安全性が確保できる。
【００２８】
スイッチＡ８１を押下することなしに、スイッチＢ８２を状態Ｃから状態Ｂに変化させても駆動モータの運転・停止動作に影響を与えない（図６タイミングＴ４）。
【００２９】
次に、装置を運転させて一定時間経過したときの停止忘れ防止機能を説明する。スイッチＢ８２を状態Ｂにした後、スイッチＡ８１を状態Ｄから状態Ｅにして駆動モータを“ＯＮ”すると装置１００は運転状態になる（図６タイミングＴ５）。
【００３０】
この運転状態のままにしておくと（スイッチＢ８２を状態Ｂのままにしておくと）、所定時間（図６Ｔｏｕｔ）経過すると、駆動モータを“ＯＦＦ”にして装置１００の運転を自動的に停止する（図６タイミングＴ６）。これは、保守・点検後に装置１００の運転停止を忘れた場合の停止忘れ防止機能で、運転停止を忘れたために、装置１００が必要ないときに運転状態になっていることによる危険を防止する機能である。
【００３１】
次に、４個のモジュールに区分された各モジュールのカバーについて説明する。例えば、搬送部のベルトの調整を行う場合、作業対象モジュールのカバーを開けて搬送部が見えるようにする必要がある。このとき、通常はインターロックスイッチ（ＩＮＴＥＲＬＯＣＫ  ＯＶＥＲＲＩＤＥ）２２を“ＯＦＦ”（カバー開の検出有効）で使用しているため、運転している状態でカバーが開けられたため、カバー開が検出され装置１００が停止状態へと移行する。また、停止している状態でカバーを開けると、カバー開が検出されるため、運転可能状態から運転不能状態に移行する。このようなカバーを開けることによる機械の停止を避けるため、調整の都度、オペレートパネル２０のインターロックスイッチ２２を“ＯＮ”（カバー開の検出無効）にしなければならない。
【００３２】
しかしながら、リモートスイッチ８０を使用する場合、装置１００のリモート接続端子に接続することによって、接続箇所を含むモジュール単位でのカバー開の検出が自動的に無効になる。従って、カバースイッチ（図示しない）が取り付けられているカバーを開けて、保守・点検を行う場合にインターロックスイッチ２２の操作を行う必要がなくなり、保守員の作業の手間を省くことができる。
【００３３】
また、リモートスイッチを使用することにより、手元で装置１００の運転・停止の操作を行うことができるので、オペレートパネル２０まで移動する回数も少なくなり、作業効率を向上させることができる。このリモートスイッチの機能は、装置が大きいほど、その効果が期待できる。
【図面の簡単な説明】
【００３４】
【図１】本発明の実施例による紙葉類処理装置の概略構成図。
【図２】紙葉類処理装置を制御する制御部に関するブロック図。
【図３】紙葉類処理装置にリモートスイッチを接続するためのリモート接続端子の配置図。
【図４】リモートスイッチの概略構成図。
【図５】オペレートパネルの配置図。
【図６】リモートスイッチのスイッチＡ及びスイッチＢの動作を説明するタイミングチャート。
【符号の説明】
【００３５】
１  供給部
２  取出部
３  排除集積部
４  プレバーコード読取部
５  文字認識部
６  遅延搬送部
７  ＩＪＰ印刷部
８  ベリファイバーコード読取部
９  分岐部
１０  紙葉類供給・認識部モジュール
１５、５５、６５、７５  リモート接続端子
２０  オペレートパネル
３０  制御部
５０  第1スタッカ集積部モジュール
６０  第2スタッカ集積部モジュール
７０  受渡部モジュール
８０  リモートスイッチ
８１  スイッチＡ
８２  スイッチＢ
１００  紙葉類処理装置
【図１】
2006095393.tif 000003
【図２】
2006095393.tif 000004
【図３】
2006095393.tif 000005
【図４】
2006095393.tif 000006
【図５】
2006095393.tif 000007
【図６】
2006095393.tif 000008